【事件の表示】
　特願２００３−　８８６２１「遊技機及びプログラム」拒絶査定不服審判事件〔平成１６年１０月２１日出願公開、特開２００４−２９０４９６〕について、次のとおり審決する。
【結　論】
　本件審判の請求は、成り立たない。
【理　由】
１．手続の経緯 
　本願は、平成１５年３月２７日に特許出願されたものであって、
　平成１８年３月２０日付けで手続補正がされ、
　平成２１年９月１０日付けで拒絶理由が通知され、これに応答して同年１１月１６日付けで意見書が提出されたが、
　平成２２年５月１２日付けで拒絶査定がされたため、
　これを不服として平成２２年８月３日付けで拒絶査定不服審判が請求されるとともに、同日付けで手続補正がされたものである。 
　
　
２．平成２２年８月３日付けの手続補正についての補正却下の決定
　
［補正却下の決定の結論］
　平成２２年８月３日付けの手続補正を却下する。
　
［理由］
(1) 本願補正発明
　平成２２年８月３日付け手続補正により、特許請求の範囲は、
「【請求項１】　遊技に連動して、複数の種類からなる大当たりのうちのいずれかを選択する大当たり抽選を実行し、入賞期間と非入賞期間とを交互に繰り返す大当たり遊技を実行する遊技実行手段と、
　遊技者に情報を提示する提示装置を介して、前記大当たり抽選の結果を遊技者に提示する提示手段と、
　を備え、前記大当たり抽選の結果を遊技者に提示すると共に、前記大当たり遊技を実行する遊技機であって、
　前記大当たり抽選の結果に応じて前記大当たり遊技における前記入賞期間と前記非入賞期間のうち非入賞期間のみの長さを設定する設定手段を備えることを特徴とする遊技機。
　【請求項２】　前記設定手段は、前記大当たり抽選の結果と、期間の長さが異なる複数の非入賞期間とを対応付けた参照テーブルを備え、前記大当たり抽選の結果に対応する非入賞期間を前記参照テーブルから選択することを特徴とする請求項１記載の遊技機。
　【請求項３】　前記提示装置は、図柄を変動表示することを可能に構成され、
　前記提示手段は、前記提示装置に図柄を変動表示させて前記大当たり抽選の結果を遊技者に提示する図柄提示手段を備えることを特徴とする請求項１又は請求項２記載の遊技機。
　【請求項４】　前記提示手段は、前記大当たり遊技の終了後においても、前記大当たり抽選の結果を前記提示装置を介して遊技者に提示する提示継続手段を備えることを特徴とする請求項１乃至請求項３いずれか記載の遊技機。
　【請求項５】　前記遊技実行手段は、前記大当たり抽選から第１の結果及び第２の結果を引き当て、前記第１の結果を前記大当たり抽選の結果とすると共に、前記第１の結果が予め指定された種類の大当たりである場合には、前記大当たり遊技中における予め設定された置換タイミングにて、前記大当たり抽選の結果を前記第１の結果から前記第２の結果に置き換えることを特徴とする請求項１乃至請求項４いずれか記載の遊技機。
　【請求項６】　前記置換タイミングは、前記第２の結果に対応付けられていることを特徴とする請求項５記載の遊技機。
　【請求項７】　前記置換タイミングは、前記大当たり遊技におけるいずれかの非入賞期間に設定されることを特徴とする請求項５又は請求項６記載の遊技機。
　【請求項８】　前記設定手段は、前記置換タイミングに該当する非入賞期間の長さを他の非入賞期間と異ならせることを特徴とする請求項７記載の遊技機。
　【請求項９】　前記大当たり遊技の終了時に、前記大当たり遊技の終了を示す合図を前記提示装置を介して遊技者に提示する合図提示手段と、
　前記大当たり抽選の結果が前記第１の結果から前記第２の結果に置き換えられる際にも、前記合図提示手段を作動させる作動手段と、
　を備えることを特徴とする請求項５乃至請求項８いずれか記載の遊技機。
　【請求項１０】　前記遊技実行手段は、前記大当たり抽選の結果が予め指定された種類の大当たりである場合に、前記大当たり遊技における入賞期間の繰り返し回数を追加する追加手段を備えることを特徴とする請求項１乃至請求項９いずれか記載の遊技機。
　【請求項１１】　前記遊技実行手段は、前記大当たり抽選の結果が予め指定された種類の大当たりである場合に、前記大当たり遊技における入賞期間の長さを延長する延長手段を備えることを特徴とする請求項１乃至請求項１０いずれか記載の遊技機。
　【請求項１２】　前記大当たり抽選の結果が前記大当たり遊技の終了後の遊技を遊技者にとって有利にする種類の大当たりである確度の高さを、前記提示装置を介して、遊技者に提示する確度提示手段を備えることを特徴とする請求項１乃至請求項１１いずれか記載の遊技機。
　【請求項１３】　前記提示装置は、光源の点灯や画像、音声のうちの少なくとも１つを用いて情報を提示するように構成され、
　前記確度提示手段は、前記提示装置に光源の点灯や画像、音声のうちの少なくとも１つを用いて前記確度を提示させる第１の報知手段を備えることを特徴とする請求項１２記載の遊技機。
　【請求項１４】　前記提示装置は、動作可能に構成された可動物体を動作させて情報を提示するように構成され、
　前記確度提示手段は、前記提示手段に前記可動物体を動作させて前記確度の高さを提示させる第２の報知手段を備えることを特徴とする請求項１２又は請求項１３記載の遊技機。
　【請求項１５】　コンピュータを請求項１乃至請求項１４いずれか記載の遊技機における各手段のうちの少なくとも１つとして機能させるプログラム。
　【請求項１６】　コンピュータを請求項１乃至請求項１４いずれか記載の遊技機として機能させるプログラム。」
に補正された。
　
　
(2) 補正の目的
　本件補正は、補正前の請求項１における「前記大当たり抽選の結果に応じて前記大当たり遊技における非入賞期間の長さを設定する設定手段」を、
「前記大当たり抽選の結果に応じて前記大当たり遊技における前記入賞期間と前記非入賞期間のうち非入賞期間のみの長さを設定する設定手段」に補正するものである。
　本件補正は、設定手段が設定するものを、「前記大当たり遊技における非入賞期間の長さ」から「前記大当たり遊技における前記入賞期間と前記非入賞期間のうち非入賞期間のみの長さ」に限定するものであるから、平成１８年法律第５５号改正附則第３条第１項によりなお従前の例によるとされる同法による改正前の特許法第１７条の２第４項第２号の特許請求の範囲の減縮を目的とするものに該当する。
　そこで、本件補正後の請求項１に記載された発明(以下、「本願補正発明」という。)が、特許出願の際独立して特許を受けることができるものであるか否か(平成１８年法律第５５号改正附則第３条第１項によりなお従前の例によるとされる同法による改正前の特許法第１７条の２第５項において準用する同法第１２６条第５項の規定に適合するか)について、以下検討する。
　
　
(3) 検討１
　本願補正発明には「前記大当たり抽選の結果に応じて前記大当たり遊技における前記入賞期間と前記非入賞期間のうち非入賞期間のみの長さを設定する設定手段」とあるので、
「非入賞期間」の長さは「設定」し、「入賞期間」の長さは「設定」しないと解される。
　
　これに対して、本願の発明の詳細な説明の記載について、
【００３６】の「ここで、大当たり遊技では、入賞期間（所謂ラウンド）と非入賞期間（所謂インターバル）とが予め設定された回数だけ交互に繰り返される。」、
【００５１】の「又、ＲＯＭ４１３には、「通常当たり」や「確変当たり」の各々に対して、大当たり遊技中における切替指令の一連の送信タイミングを対応付けた参照テーブル４２３が記憶されている。即ち、図６に示すように、切替指令の送信タイミングは、大当たり遊技のラウンドの長さを大当たりの種類に関係なく一定（１０秒間）とするように設定されている一方、「確変当たり」に対するインターバルの長さを「通常当たり」に対するインターバルよりも短くするように設定されている。」、
　及び【００７６】の「尚、本実施形態において、ＭＰＵ４１１及びリングカウンタ４１４、参照テーブル４２０，４２１，４２２が、本発明の遊技実行手段に相当し、ＭＰＵ４１１及びリングカウンタ４１５、参照テーブル４２３が本発明の設定手段に相当する。」
　からは、「非入賞期間」の長さだけではなく「入賞期間」の長さも、文言通り「設定」していると解される。
　
　ここで両者を対比すると、
　審判請求書の記載を参酌した上で、前記「長さを設定する」を「長さを変化させる」と解する場合であれば、本願補正発明は、発明の詳細な説明の記載と対応するものの、
　前記「長さを設定する」を文言通りに解すると、本願補正発明は、発明の詳細な説明の記載と対応しない。
　
　よって、本願補正発明における「前記大当たり遊技における前記入賞期間と前記非入賞期間のうち非入賞期間のみの長さを設定する」点が、如何なる範囲の技術的事項を特定しているのか、発明の詳細な説明の記載との関係において、明確でない。
　したがって、本願補正発明は不明りょうであるから、特許法第３６条第６項第２号の規定により特許出願の際独立して特許を受けることができない。 
　
　なお、以下の検討２〜３においては、発明の詳細な説明及び審判請求書の記載を参酌した上で、前記「長さを設定する」が「長さを変化させる」ことを意味すると解した上で、検討する。
　
　
(4) 検討２
(4-1) 引用文献に記載された事項
　原査定の拒絶の理由において引用文献１として引用された特開２００１−３０００３７号公報（以下「引用文献１」という。）には、図面とともに、以下の事項が開示されている。
　
(ア)「【請求項１】  予め定められた条件を満たすことで特定遊技状態が発生するとその特定遊技期間中に可変入賞装置が開成状態と閉成状態を繰り返すように構成されたパチンコ遊技機において、開閉時間比を抽選手段により設定し、特定遊技期間中に可変入賞装置が開成状態を保つ時間と閉成状態を保つ時間との比率が該開閉時間比に従い制御されるようにしたことを特徴とするパチンコ遊技機。」
　
(イ)「【０００８】一方、図２はこのパチンコ遊技機の遊技制御回路の本発明に関連した部分を示すブロック図で、１１は前記始動口５に入賞した遊技球を検出する始動スイッチ、１２は継続入賞口９に入賞した遊技球を検出する入賞検出スイッチである。そして該各スイッチの信号が入力される主基板１４に、特定遊技状態発生手段と、特定遊技状態制御手段が構成され、該特定遊技状態制御手段には、開閉時間比抽選手段と許容時間制限手段と可変入賞装置制御手段と表示装置制御手段が構成され、該主基板１４からの出力信号により前記図柄変動表示器２、および、可変入賞装置７の開閉用ソレノイド１５が駆動される。
【０００９】そして、始動スイッチ１１によって始動口５への入球が検知されると、特定遊技状態発生手段により画像表示装置２がドライブされ、該図柄変動表示器２の左列と右列と中列とに１〜９の数字および☆◆◎▽からなる図柄が下方に移動する如くに表示され、その数秒後に各表示列の図柄が停止し、その停止図柄が例えば「２２２」「５５５」「７７７」等の所定図柄に揃ったかどうかが判定され、所定図柄であった場合は特定遊技状態が発生する。」
　
(ウ)「【００１６】なお、この実施形態では可変入賞装置７への遊技球の入賞個数の上限について説明してないが、可変入賞装置７に入賞球カウンタを設け入賞球を例えば１０個カウントしたところで該可変入賞装置が閉成状態なるようにしてもよい。また前記抽選手段は、この実施形態のように各ラウンド毎に行っても、数ラウンドをまとめて行っても、或いは特定遊技状態が発生したときに行っても、或いは特定遊技状態をもたらした図柄如何によって開閉時間比が設定されるようにしてもよい。」
　
　以上、(ア)〜(ウ)の記載、および図面（特に、図４参照）を総合すると、引用文献１には、以下の発明が開示されていると認めることができる。
　
「始動口５への入球が検知されたときに、画像表示装置２において図柄を移動して停止させ、停止した図柄が複数の種類からなる所定図柄のいずれかに揃ったかどうかを判定し、所定図柄であった場合に特定遊技状態を発生させ、
　前記特定遊技状態が発生した場合に、可変入賞装置７が開成状態である期間と閉成状態である期間とを交互に繰り返す処理を実行し、
　前記所定図柄に応じて、可変入賞装置７の開閉時間比を設定するパチンコ遊技機。」
(以下、この発明を「引用発明１」という。)
　
　
(4-2) 対比
　引用発明１におけるパチンコ遊技機は、本願補正発明における「遊技機」に相当する。
　
　引用発明１において「画像表示装置２において図柄を移動して停止させ、停止した図柄が複数の種類からなる所定図柄のいずれかに揃ったかどうかを判定し、所定図柄であった場合に特定遊技状態を発生させ」る点は、「始動口５への入球が検知されたとき」になされているので、遊技に連動して実行されている。
　遊技機の技術常識と、引用文献１の【０００２】に引用発明１の前提となる従来の技術として開示された「特定遊技状態（大当たり）」とを、考慮すれば、
　引用発明１の、「画像表示装置２において図柄を移動して停止させ、停止した図柄が複数の種類からなる所定図柄のいずれかに揃ったかどうかを判定」及びこれにより発生する「特定遊技状態」は、本願補正発明における「大当たり抽選」及び「大当たり」に相当する。
　引用文献１の(ウ)に開示された、特定遊技状態をもたらした図柄如何によって特定遊技状態における開閉時間比を設定している点から、
　引用発明１は、前記図柄如何によって、開閉時間比が異なる複数の特定遊技状態のいずれかを選択している。
　よって、引用発明１において、「始動口５への入球が検知されたときに、画像表示装置２において図柄を移動して停止させ、停止した図柄が複数の種類からなる所定図柄のいずれかに揃ったかどうかを判定し、所定図柄であった場合に特定遊技状態を発生させ」る点は、
　本願補正発明における「遊技に連動して複数の種類からなる大当たりのうちのいずれかを選択する大当たり抽選」に相当する。
　
　本願の特に【００３６】の記載を参酌すると、本願補正発明における「入賞期間」及び「非入賞期間」とは、「可動入賞装置」の「入賞口」を「開放」する期間及び「閉鎖」する期間を含むと解される。
　したがって、引用発明１において、可変入賞装置７が「開成状態である期間」及び「閉成状態である期間」、並びに「これらを交互に繰り返す」点は、
　本願補正発明における「入賞期間」及び「非入賞期間」、並びに「大当たり遊技を実行する」点に相当する。
　
　引用発明１は、前記特定遊技状態を発生させる点と、前記可変入賞装置７が開成状態である期間及び閉成状態である期間を交互に繰り返す点とを、実行するものであるから、
　引用発明１がこれらを実行する手段を備えることは自明である。
　
　引用発明１において、画像表示装置２を介して特定遊技状態をもたらした図柄を提示する点は、本願補正発明における「遊技者に情報を提示する提示装置を介して、前記大当たり抽選の結果を遊技者に提示する」点に相当する。
　また、引用発明１が、前記画像表示装置２を介して特定遊技状態をもたらした図柄を提示する手段を備えることは、自明である。
　
　引用発明１において、特定遊技状態をもたらした図柄如何によって特定遊技状態における開閉時間比を設定している点は、
　本願補正発明における、「前記大当たり抽選の結果に応じて」「非入賞期間の長さ」を「設定」する点に相当する。
　また、引用発明１が、前記設定を行う手段を備えることは、自明である。
　
　以上のことから、両者は、
＜一致点＞
「遊技に連動して、複数の種類からなる大当たりのうちのいずれかを選択する大当たり抽選を実行し、入賞期間と非入賞期間とを交互に繰り返す大当たり遊技を実行する遊技実行手段と、
　遊技者に情報を提示する提示装置を介して、前記大当たり抽選の結果を遊技者に提示する提示手段と、
　を備え、前記大当たり抽選の結果を遊技者に提示すると共に、前記大当たり遊技を実行する遊技機であって、
　前記大当たり抽選の結果に応じて前記大当たり遊技における非入賞期間の長さを設定する設定手段を備える遊技機。」
　である点で一致し、以下の点で相違している。
　
＜相違点＞
　本願補正発明が「前記大当たり抽選の結果に応じて前記大当たり遊技における前記入賞期間と前記非入賞期間のうち非入賞期間のみの長さ」を設定するのに対し、
　引用発明１は、非入賞期間の長さを設定するものの、「前記大当たり抽選の結果に応じて前記大当たり遊技における前記入賞期間と前記非入賞期間のうち非入賞期間のみの長さ」を設定するものでない点。
　
　
(4-3) 判断
　前記相違点について判断する。
　前置報告において引用文献２として引用された特開平４−３７１１８０号公報(以下「引用文献２」という。)の、特に【請求項１】、【０００８】、【００１２】〜【００１３】、【００３１】〜【００３３】には、第１の状態である期間と第２の状態である期間とを交互に繰り返す大当たり遊技を実行する弾球遊技機であって、前記大当たり遊技における前記第１の状態である期間と前記第２の状態である期間のうち前記第２の状態である期間のみの長さを設定する発明が、開示されている。
　前記第１の状態は可変入賞球装置２０の玉受部材２７ａ，２７ｂを開成して打玉を受け入れる状態であり、前記第２の状態である期間は前記玉受部材２７ａ，２７ｂを閉成して打玉を受け入れない状態であるが、
　本願の特に【００３６】の記載を参酌すると、本願補正発明における「入賞期間」及び「非入賞期間」とは、「可動入賞装置」の「入賞口」を「開放」する期間及び「閉鎖」する期間を含むと解されるので、
　前記第１の状態である期間及び第２の状態である期間は、本願補正発明における「入賞期間」及び「非入賞期間」に相当する。
　
　そして、引用発明１と、引用文献２に開示された前記の発明とは、入賞期間と非入賞期間とを交互に繰り返す大当たり遊技を実行する遊技機である点で共通するから、引用発明１に、引用文献２に開示された前記の発明を適用して、相違点に係る本願補正発明の構成とすることは、当業者が容易に想到しうるものである。
　
　したがって、本願補正発明は、引用発明１及び引用文献２に開示された前記発明に基づいて、当業者が容易に発明をすることができたものであるから、
　本願補正発明は、特許法第２９条第２項の規定により、その特許出願の際に独立して特許を受けることができない。
　
　
(5) 検討３
　なお、念のため、引用文献２を主引用例とした場合も検討する。
　
(5-1) 引用文献に記載された事項
　引用文献２には、図面とともに、以下の事項が開示されている。
　
(エ)「【請求項１】　　遊技者にとって有利な第１の状態と遊技者にとって不利な第２の状態とに変化自在な可変入賞球装置が予め定めた特定遊技状態となったときに、一定期間だけ前記第１の状態と前記第２の状態とを繰り返し、しかも前記一定期間中に予め定めた継続権が成立したときに再度前記第１の状態と前記第２の状態とを繰り返すように構成された弾球遊技機において、少なくとも前記第２の状態となっている時間を前記継続権の成立回数に応じて変化可能としたことを特徴とする弾球遊技機。」
　
(オ)「【０００８】しかして、始動入賞玉検出スイッチ８がＯＮすると、前記可変入賞球装置２０の玉受部材２７ａ，２７ｂが微少時間（例えば、０．５秒）づつ２回開放する。そして、その２回の開放動作によって受け入れられた入賞玉が特定入賞口４７に誘導されたときには、大当り遊技状態となる。大当り遊技状態になると、玉受部材２７ａ，２７ｂが所定時間（例えば、２７秒）内に所定回数（例えば、１８回）の開閉動作を行うか、又はその所定回数の開閉動作中に所定個数（例えば、１０個）の入賞玉が発生するまでの開閉動作を行うようになっている（以下、これを開閉サイクルという）。このような開閉サイクルが実行されているときに受け入れられた入賞玉が特定入賞口４７に誘導されたときには、直ちにその回の開閉サイクルを停止して次の開閉サイクルに移行すべく継続される。そして、その継続回数は、開閉サイクル中に入賞玉が特定入賞口４７に入賞することを条件として、所定回数（例えば、１５回）行われるようになっている。したがって、大当り遊技状態となると、短時間に多量の入賞玉を発生させることができる。なお、開閉サイクルにおける玉受部材２７ａ，２７ｂの閉成時間は、後に詳述するように継続回数によって変化するようになっている。
」
　
(カ)「【００１２】また、障害受枠２３の両側下方には、一対の玉受部材２７ａ，２７ｂが開閉自在に設けられている。この玉受部材２７ａ，２７ｂは、閉成時に起立状態となってその先端が障害受枠２３の左右下端と対設して打玉を受け入れない遊技者にとって不利な第２の状態となっており、開成時に水平状態となって遊技領域３を落下する打玉を受け止めて遊技者にとって有利な第１の状態となっている。また、玉受部材２７ａ，２７ｂは、周知の機構によって玉受部材ソレノイド２８ａ，２８ｂ（図１参照）に連結され、該玉受部材ソレノイド２８ａ，２８ｂの上下運動を玉受部材２７ａ，２７ｂの回動運動に変換している。この場合、玉受部材ソレノイド２８ａ，２８ｂがＯＮされたときには、玉受部材２７ａ，２７ｂが開成された状態となる。一方、玉受部材ソレノイド２８ａ，２８ｂがＯＦＦされたときには、玉受部材２７ａ，２７ｂが閉成された状態となる。なお、遊技者にとって不利な第２の状態時に玉受部材２７ａ，２７ｂの先端部と障害受枠２３の両端部との間に打玉が通過し得る間隔を設け、入賞し難い状態としても良い。
【００１３】前記した玉受部材２７ａ，２７ｂによって受け入れられた入賞玉は、入賞空間２９に誘導されるが、その入賞空間２９の上部には、上部玉転動板３０が横臥されている。上部玉転動板３０は、図３に示すように、玉受部材２７ａ，２７ｂの開成時において、該玉受部材２７ａ，２７ｂとほぼ同一平面となるように横臥されている。そして、上部玉転動板３０の後方には、落下口（後述する下部玉転動板４１に向かって落下する）が形成されている。しかして、玉受部材２７ａ，２７ｂに受け止められた入賞玉であって次に説明する振分部材３１ａ，３１ｂを飛び越えた入賞玉は、上部玉転動板３０に達した後、後方の落下口から下部玉転動板４１上に落下し、特定入賞口４７又は通常入賞口４８ａ，４８ｂのいずれかに誘導されることになる。
」
　
(キ)「【００３１】ところで、本実施例においては、前記したように開閉サイクルの閉成時間である前記ｔ１８時間が継続回数に応じて変化可能とされているが、その態様について以下説明する。図８は、前記ｔ１８時間が異なる４種類の開閉サイクルパターンを示し、パターンＡは、ｔ１７＝ｔ１８（０．８ｓ）の開閉サイクルを示し、パターンＢは、ｔ１７（０．６ｓ）≦ｔ１８（０．８ｓ）の開閉サイクルを示し、パターンＣは、ｔ１７（０．４ｓ）≦ｔ１８（０．８ｓ）の開閉サイクルを示し、パターンＤは、ｔ１７（０．２ｓ）≦ｔ１８（０．８ｓ）の開閉サイクルを示す。
【００３２】そして、前記のように示される４種類の開閉サイクルパターンが図９に示す方法によって任意に選択設定されるものである。即ち、図９において、常に４通りの数値０〜３が更新動作されているランダム数の中から特定入賞玉検出スイッチ５０がＯＮしたとき（以下、Ｖ入賞時という）に、１つの値が抽出される。そして、その抽出された値が「０」のときパターンＡが設定され、そのＶ入賞に基づく開閉サイクルは、パターンＡで実行されることになる。同様に、Ｖ入賞時に抽出された値が「１」のときパターンＢが設定され、そのＶ入賞に基づく開閉サイクルは、パターンＢで実行されることになり、Ｖ入賞時に抽出された値が「２」のときパターンＣが設定され、そのＶ入賞に基づく開閉サイクルは、パターンＣで実行されることになり、Ｖ入賞時に抽出された値が「３」のときパターンＤが設定され、そのＶ入賞に基づく開閉サイクルは、パターンＤで実行されることになる。また、その時抽出された数値が開閉パターン表示ＬＥＤ２６に表示されるようになっている。
【００３３】このように、本実施例においては、可変入賞球装置２０が第１の状態と第２の状態とを繰り返す開閉サイクルにおいて、第２の状態となっている時間が継続権の成立する毎に４種類の開閉パターンＡ〜Ｄのいずれかを選択設定するようにしたので、各開閉サイクル毎の開閉動作パターンに変化を与えることができ、遊技者の興趣を引き付けることができる。また、第１の状態となっている時間に変化を与えないので、各開閉サイクルによって打玉が可変入賞球装置２０に入賞する入賞率が減少することがなく遊技者に不利とならない。特に、開閉パターンＢ〜Ｄの閉成時間が標準的な開閉パターンである開閉パターンＡの閉成時間よりも短くなることにより、１回の開閉サイクル全体の時間がそれぞれ短縮されるので、その間遊技者が発射する打玉数が減少するため、大当り遊技状態を通じて結果的に出玉率が高くなるという利点がある。」
　
(ク)「【００３６】また、前記した実施例では、可変入賞球装置２０の玉受部材２７ａ，２７ｂとして開閉動作するものを示したが、左右方向にスライドする形式の玉受部材、前後方向に開閉する形式の玉受部材であっても良い。また、前記実施例では、可変入賞球装置２０を開閉する始動入賞を電動役物６で生起せしめるものを示したが、受口形式の始動入賞口を遊技盤１に複数設け、その始動入賞口の種類により始動入賞時における可変入賞球装置２０の開閉回数を異ならせるものでも良い。また、前記実施例では、入賞玉が特定入賞口４７に入賞したときに大当り遊技状態となるものを示したが、入賞玉が特定入賞口４７（又は通常入賞口でも良い）に入賞して可変表示装置が所定の表示結果を導出したときに大当り遊技状態となるものでも良い。また、大当り遊技状態を出現させる形態として始動入賞口への打玉の入賞に基づいて可変表示装置が予め定めた表示結果となったときに、大当り遊技状態となるものでも良い。更に、前記実施例では、特定入賞口４７に入賞玉が入賞すると、直ちに開閉サイクルを終了して次回の開閉サイクルに移行するものを示したが、特定入賞口４７に入賞玉が入賞したことを記憶しておいて、当該回の１８回又は１０個の開閉サイクルが終了してから前記記憶値に基づいて次回の１８回又は１０個の開閉サイクルに移行するものでも良い。」
　
　以上、(エ)〜(ク)の記載、および図面（特に、図８参照）を総合すると、引用文献２には、以下の発明が開示されていると認めることができる。
　
「特定入賞口４７又は始動入賞口への打玉の入賞に基づいて可変表示装置が予め定めた表示結果となったときに大当たり遊技状態となり、
　前記大当たり遊技状態となった場合に、第１の状態である期間と第２の状態である期間とを交互に繰り返す処理を実行し、
　可変入賞球装置２０が開成状態である期間と閉成状態である期間とを交互に繰り返す処理を実行し、
　前記第１の状態である期間と前記第２の状態である期間のうち第２の状態である期間のみの長さが異なる開閉サイクルパターンを選択設定する弾球遊技機。」
(以下、この発明を「引用発明２」という。)
　
　
(5-2) 対比
　引用発明２における弾球遊技機は、本願補正発明における「遊技機」に相当する。
　
　引用発明２において「可変表示装置が予め定めた表示結果となったときに大当たり遊技状態とな」る点は、「特定入賞口４７又は始動入賞口への打玉の入賞に基づいて」いるので、遊技に連動して実行されている。
　
　遊技機の技術常識を考慮すれば、引用発明２において、「特定入賞口４７又は始動入賞口への打玉の入賞に基づいて可変表示装置が予め定めた表示結果となったときに大当たり遊技状態とな」る点は、本願補正発明における「大当たり抽選」に相当する。
　
　前記(4-3)で説示のとおり、引用発明２における第１の状態である期間及び第２の状態である期間は、本願補正発明における「入賞期間」及び「非入賞期間」に相当する。
　したがって、引用発明２において、大当たり遊技状態となった場合に、第１の状態である期間と第２の状態である期間とを交互に繰り返す点は、本願補正発明における「入賞期間と非入賞期間とを交互に繰り返す大当たり遊技を実行する」点に相当する。
　
　引用発明２は、前記大当たり遊技状態となる点と、前記大当たり遊技状態となった場合に、第１の状態である期間と第２の状態である期間とを交互に繰り返す点とを、実行するものであるから、
　引用発明２がこれらを実行する手段を備えることは自明である。
　
　遊技機の技術常識を考慮すれば、引用発明２において前記可変表示装置が表示結果を導出する点は、本願補正発明における「遊技者に情報を提示する提示装置を介して、前記大当たり抽選の結果を遊技者に提示する」点に相当する。
　また、引用発明２が、前記可変表示装置に表示結果を導出させる手段を備えることは、自明である。
　
　引用発明２において、前記第１の状態である期間と前記第２の状態である期間のうち第２の状態である期間のみの長さが異なる開閉サイクルパターンを選択設定する点は、
　本願補正発明における「前記大当たり抽選の結果に応じて前記大当たり遊技における前記入賞期間と前記非入賞期間のうち非入賞期間のみの長さを設定する」点に相当する。
　また、引用発明２が、前記選択設定する手段を備えることは、自明である。
　
　以上のことから、両者は、
＜一致点＞
「遊技に連動して、大当たり抽選を実行し、入賞期間と非入賞期間とを交互に繰り返す大当たり遊技を実行する遊技実行手段と、
　遊技者に情報を提示する提示装置を介して、前記大当たり抽選の結果を遊技者に提示する提示手段と、
　を備え、前記大当たり抽選の結果を遊技者に提示すると共に、前記大当たり遊技を実行する遊技機であって、
　前記大当たり遊技における前記入賞期間と前記非入賞期間のうち非入賞期間のみの長さを設定する設定手段を備える遊技機。」
　
＜相違点＞
　本願補正発明においては、「前記大当たり遊技における前記入賞期間と前記非入賞期間のうち非入賞期間のみの長さ」が、「複数の種類からなる大当たりのうちのいずれかを選択する」ような「大当たり抽選」の「結果に応じて」設定されているのに対し、
　引用発明２においては、非入賞期間のみの長さは設定されているものの、当該長さは、複数の種類からなる大当たりのうちのいずれかを選択する大当たり抽選の結果に応じて設定されたものではない点。
　
　
(5-3) 判断
　前記相違点について判断する。
　前記(4-2)で説示のとおり、前記引用発明１においては、
　大当たり抽選が、複数の種類からなる大当たりのうちのいずれかを選択するものであり、
　大当たり遊技における非入賞期間の長さの設定が、前記大当たり抽選の結果に応じている。
　
　そして、引用発明２と、引用発明１とは、入賞期間と非入賞期間とを交互に繰り返す大当たり遊技を実行する遊技機である点で共通するから、
　引用発明２に引用発明１を適用して、相違点に係る本願補正発明の構成とすることは、当業者が容易に想到しうるものである。
　
　したがって、本願補正発明は、引用発明２及び引用発明１に基づいて、当業者が容易に発明をすることができたものであるから、
　本願補正発明は、特許法第２９条第２項の規定により、その特許出願の際に独立して特許を受けることができない。
　
(6) むすび 
　以上のとおり、本件補正は、前記改正前の特許法１７条の２第５項で準用する同法１２６条第５項の規定に違反するものであり、同法１５９条第１項において読み替えて準用する同法５３条第１項の規定により却下されるべきものである。
　
　
３．本願発明について
　平成２２年８月３日付けの手続補正は前記のとおり却下されたので、本出願に係る発明は、願書に最初に添付した明細書に記載された特許請求の範囲により特定されるとおりのものである。
　そして、その請求項１に係る発明（以下「本願発明」という。）は、次のとおりである。
　
「【請求項１】　遊技に連動して、複数の種類からなる大当たりのうちのいずれかを選択する大当たり抽選を実行し、入賞期間と非入賞期間とを交互に繰り返す大当たり遊技を実行する遊技実行手段と、
　遊技者に情報を提示する提示装置を介して、前記大当たり抽選の結果を遊技者に提示する提示手段と、
　を備え、前記大当たり抽選の結果を遊技者に提示すると共に、前記大当たり遊技を実行する遊技機であって、
　前記大当たり抽選の結果に応じて前記大当たり遊技における非入賞期間の長さを設定する設定手段を備えることを特徴とする遊技機。」
　
(1) 引用文献に記載された事項
　原査定の拒絶の理由において引用文献１として引用された特開２００１−３０００３７号公報（引用文献１）に開示された発明（引用発明１）は、前記２．(4-1)で説示のとおりである。
　
(2) 対比・判断
　本願発明（補正前の請求項１に係る発明）は、前記２．(4)で検討した本願補正発明（補正後の請求項１に係る発明）における「前記大当たり抽選の結果に応じて前記大当たり遊技における前記入賞期間と前記非入賞期間のうち非入賞期間のみの長さを設定する設定手段」を、「前記大当たり抽選の結果に応じて前記大当たり遊技における非入賞期間の長さを設定する設定手段」とするものであるから、
　本願発明は、本願補正発明から、設定手段が設定するものについての技術事項を削除したものである。
　そして、削除した前記技術事項は、前記２．(4-2)で説示したとおり、引用発明１と本願補正発明との＜相違点＞に係る技術事項である。
　そうすると、本願補正発明から前記＜相違点＞に係る技術事項を除いた本願発明は、引用発明１と同一である。
　
(3) むすび
　以上のとおり、本願発明は引用発明１と同一であるから、特許法第２９条第１項第３号の規定により特許を受けることができない。
　したがって、本願は、他の請求項について検討するまでもなく、拒絶されるべきものである。
　よって、結論のとおり審決する。